【手続補正書】
【提出日】令和2年12月11日(2020.12.11)
【手続補正１】
【補正対象書類名】明細書
【補正対象項目名】０１５７
【補正方法】変更
【補正の内容】
【０１５７】
このように、セグメント化保護ディスプレイフィルムの実施形態を開示する。本明細書で言及した全ての参考文献及び刊行物は、これらが本開示に直接矛盾し得る場合を除き、これらの全体が参照により本開示に明示的に組み込まれる。具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその同等物によってのみ限定されるものとする。開示された実施形態は例示目的で提示されており、限定を目的とするものではない。以下、他の例示的実施形態について述べる。
［１］
同一平面上の２つ以上のガラス層セグメントを含み、かつ第１の主面と前記第１の主面の反対側にある第２の主面とによって画定される厚さを有し、前記厚さが、５００マイクロメートル未満、又は２５マイクロメートル〜２５０マイクロメートルの範囲内、又は２５マイクロメートル〜１５０マイクロメートルの範囲内である、透明ガラス層と、
隣接するセグメントを分離する隙間ポリマー材料と、
前記第１の主面上に配置された透明なエネルギー散逸層であって、２７℃以下のガラス転移温度及び０．５以上のＴａｎδピーク値を有する、透明なエネルギー散逸層と、
を備えるディスプレイフィルム。
［２］
前記透明なエネルギー散逸層が、架橋ポリウレタン、架橋ポリウレタンアクリレート、又は架橋ポリウレタン及びポリアクリレートを含む、［１］に記載のディスプレイフィルム。
［３］
前記隙間ポリマー材料が、第１の屈折率値を有し、前記ガラスセグメントが、第２の屈折率値を有し、前記屈折率値が、前記第２の屈折率値の０．１以内、又は０．０５以内、又は０．０２以内、又は０．０１以内である、［１］又は［２］に記載のディスプレイフィルム。
［４］
前記ガラス層セグメントは、前記ガラス層セグメントを破損することなく前記ガラス層の曲げ又は折り畳みをもたらすように構成されている、［１］〜［３］のいずれか一項に記載のディスプレイフィルム。
［５］
前記ガラス層セグメントが、前記ディスプレイフィルムの１つの寸法（長さ又は幅）全体に沿って延びる平行なセグメントである、［１］〜［４］のいずれか一項に記載のディスプレイフィルム。
［６］
前記ガラス層セグメントが、前記ディスプレイフィルムの曲げ領域を画定する不均一セグメントである、［１］〜［５］のいずれか一項に記載のディスプレイフィルム。
［７］
前記ガラス層セグメントが、１：１〜１００：１の範囲内の（幅の厚さに対する）アスペクト比を有する、［１］〜［６］のいずれか一項に記載のディスプレイフィルム。
［８］
前記ディスプレイフィルムが、５％未満、又は３％未満、又は２％未満、又は１％未満のヘイズ値を有し、前記ディスプレイフィルムが、８５％超、又は９０％超の可視光透過率値を有し、前記ディスプレイフィルムが、９０％超、又は９５％超、又は９８％超の透明度値を有する、［１］〜［７］のいずれか一項に記載のディスプレイフィルム。
［９］
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、［１］〜［８］のいずれか一項に記載のディスプレイフィルム。
［１０］
前記透明なエネルギー散逸層が、０．８以上、又は１．０以上、又は１．２以上、又は０．５〜２．５の範囲内、又は１〜２．５の範囲内のＴａｎδピーク値を有する、［１］〜［９］のいずれか一項に記載のディスプレイフィルム。
［１１］
前記第２の主面上に配置された保護層を更に備える、［１］〜［１０］のいずれか一項に記載のディスプレイフィルム。
［１２］
前記保護層が、前記隙間ポリマー材料と同じ材料で形成されている、［１１］に記載のディスプレイフィルム。
［１３］
前記保護層が、ナノ粒子を含み、２〜３０マイクロメートル、又は２〜１５マイクロメートル、又は３〜１０マイクロメートルの範囲内の厚さを有する、［１１］に記載のディスプレイフィルム。
［１４］
前記透明なエネルギー散逸層上に配置された接着剤層を更に備え、前記透明なエネルギー散逸層が、前記透明ガラス層を前記接着剤層から分離している、［１］〜［１３］のいずれか一項に記載のディスプレイフィルム。
［１５］
前記透明なエネルギー散逸層上に配置された透明なポリマー基材層を更に備え、前記透明なエネルギー散逸層が、前記透明ガラス層を前記透明なポリマー基材層から分離し、前記透明なポリマー基材層が、１０〜１２５マイクロメートル、又は２５〜１００マイクロメートル、又は３０〜８５マイクロメートルの範囲内の厚さと、９０ＭＰａ超、又は１００ＭＰａ超、又は１２０ＭＰａ超、又は１６０ＭＰａ超の降伏応力値と、を有する、［１］〜［１３］のいずれか一項に記載のディスプレイフィルム。
［１６］
前記隙間ポリマー材料が、前記透明なエネルギー散逸層と同じ材料で形成されている、［１］〜［１５］のいずれか一項に記載のディスプレイフィルム。
［１７］
前記ディスプレイフィルムが、５００マイクロメートル未満、若しくは３００マイクロメートル未満、若しくは２００マイクロメートル未満、又は、８５〜３５０マイクロメートル、若しくは１００〜２５０マイクロメートル、若しくは１００〜２００マイクロメートルの範囲内の厚さを有する、［１］〜［１６］のいずれか一項に記載のディスプレイフィルム。
［１８］
同一平面上の２つ以上のガラス層セグメントを含み、かつ第１の主面と前記第１の主面の反対側にある第２の主面とによって画定される厚さを有し、前記厚さが、５００マイクロメートル未満、又は２５マイクロメートル〜２５０マイクロメートルの範囲内、又は２５マイクロメートル〜１５０マイクロメートルの範囲内である透明ガラス層と、
前記第１の主面上に配置されたポリマー層であって、前記ポリマー層が、ポリマー材料で形成され、前記ポリマー材料がまた、隣接するセグメントを分離する隙間ポリマー材料を形成する、ポリマー層と、
前記ポリマー層上に配置された透明なエネルギー散逸層であって、前記ポリマー層が、前記透明なエネルギー散逸層を前記透明ガラス層から分離し、前記前記透明なエネルギー散逸層が、２７℃以下のガラス転移温度及び０．５以上のＴａｎδピーク値を有する、透明なエネルギー散逸層と、
を備えるディスプレイフィルム。
［１９］
前記透明なエネルギー散逸層が、架橋ポリウレタン、又は架橋ポリウレタンアクリレート、又は架橋ポリウレタン及びポリアクリレートを含む、［１８］に記載のディスプレイフィルム。
［２０］
前記ポリマー層及び隙間ポリマー材料が、第１の屈折率値を有し、前記ガラスセグメントが、第２の屈折率値を有し、前記屈折率値が、前記第２の屈折率値の０．１以内、又は０．０５以内、又は０．０２以内、又は０．０１以内である、［１８］又は［１９］に記載のディスプレイフィルム。
［２１］
前記ガラス層セグメントが、前記ガラス層セグメントを破損することなく前記ガラス層の曲げ又は折り畳みをもたらすように構成されている、［１８］〜［２０］のいずれか一項に記載のディスプレイフィルム。
［２２］
前記ガラス層セグメントが、前記ディスプレイフィルムの１つの寸法（長さ又は幅）全体に沿って延びる平行なセグメントである、［１８］〜［２１］のいずれか一項に記載のディスプレイフィルム。
［２３］
前記ガラス層セグメントが、前記ディスプレイフィルムの曲げ領域を画定する不均一セグメントである、［１８］〜［２２］のいずれか一項に記載のディスプレイフィルム。
［２４］
前記ガラス層セグメントが、１：１〜１００：１の範囲内の（幅の厚さに対する）アスペクト比を有する、［１８］〜［２３］のいずれか一項に記載のディスプレイフィルム。
［２５］
前記ディスプレイフィルムが、５％未満、又は３％未満、又は１％未満、又は１％未満のヘイズ値を有し、前記ディスプレイフィルムが、８５％超、又は９０％超の可視光透過率値を有し、前記ディスプレイフィルムが、９０％超、又は９５％超、又は９８％超の透明度値を有する、［１８］〜［２４］のいずれか一項に記載のディスプレイフィルム。
［２６］
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、［１８］〜［２５］のいずれか一項に記載のディスプレイフィルム。
［２７］
前記透明なエネルギー散逸層が、０．８以上、又は１．０以上、又は１．２以上、又は０．５〜２．５の範囲内、又は１〜２．５の範囲内のＴａｎδピーク値を有する、［１８］〜［２６］のいずれか一項に記載のディスプレイフィルム。
［２８］
前記第２の主面上に配置された保護層を更に備える、［１８］〜［２７］のいずれか一項に記載のディスプレイフィルム。
［２９］
前記保護層が、前記ポリマー層と同じ材料で形成されている、［２８］に記載のディスプレイフィルム。
［３０］
前記保護層が、ナノ粒子を含み、２〜３０マイクロメートル、又は２〜１５マイクロメートル、又は３〜１０マイクロメートルの範囲内の厚さを有する、［２８］に記載のディスプレイフィルム。
［３１］
前記透明なエネルギー散逸層上に配置された接着剤層を更に備え、前記透明なエネルギー散逸層が、前記ポリマー層を前記接着剤層から分離する、［１８］〜［３０］のいずれか一項に記載のディスプレイフィルム。
［３２］
前記透明なエネルギー散逸層上に配置された透明なポリマー基材層を更に備え、前記透明なエネルギー散逸層が、前記ポリマー層を前記透明なポリマー基材層から分離し、前記透明なポリマー基材層が、１０〜１２５マイクロメートル、又は２５〜１００マイクロメートル、又は３０〜８５マイクロメートルの範囲内の厚さと、９０ＭＰａ超、又は１００ＭＰａ超、又は１２０ＭＰａ超、又は１６０ＭＰａ超の降伏応力値と、を有する、［１８］〜［３０］のいずれか一項に記載のディスプレイフィルム。
［３３］
前記ディスプレイフィルムが、５００マイクロメートル未満、若しくは３００マイクロメートル未満、若しくは２００マイクロメートル未満、又は、８５〜３５０マイクロメートル、若しくは１００〜２５０マイクロメートル、若しくは１００〜２００マイクロメートルの範囲内の厚さを有する、［１８］〜［３２］のいずれか一項に記載のディスプレイフィルム。
［３４］
光学ディスプレイと、
［１］〜［３３］のいずれか一項に記載のディスプレイフィルムと、
前記ディスプレイフィルムを前記光学ディスプレイに固定する光学接着剤層と、
を備える、物品。
［３５］
前記光学ディスプレイが、有機発光ダイオードを含む、［３４］に記載の物品。
［３６］
前記光学ディスプレイ及びディスプレイフィルムは、前記光学ディスプレイが前記光学ディスプレイ自体に向き合い、前記ディスプレイフィルムの少なくとも一部分が、前記ディスプレイフィルムの別の部分と重なり合うように、折り畳み可能である、［３４］又は［３５］に記載の物品。
【手続補正２】
【補正対象書類名】特許請求の範囲
【補正対象項目名】全文
【補正方法】変更
【補正の内容】
【特許請求の範囲】
【請求項１】
同一平面上の２つ以上のガラス層セグメントを含み、かつ第１の主面と前記第１の主面の反対側にある第２の主面とによって画定される厚さを有し、前記厚さが、５００マイクロメートル未満、又は２５マイクロメートル〜２５０マイクロメートルの範囲内、又は２５マイクロメートル〜１５０マイクロメートルの範囲内である、透明ガラス層と、
隣接するセグメントを分離する隙間ポリマー材料と、
前記第１の主面上に配置された透明なエネルギー散逸層であって、２７℃以下のガラス転移温度及び０．５以上のＴａｎδピーク値を有する、透明なエネルギー散逸層と、
を備えるディスプレイフィルム。
【請求項２】
前記隙間ポリマー材料が、第１の屈折率値を有し、前記ガラスセグメントが、第２の屈折率値を有し、前記屈折率値が、前記第２の屈折率値の０．１以内、又は０．０５以内、又は０．０２以内、又は０．０１以内である、請求項１に記載のディスプレイフィルム。
【請求項３】
同一平面上の２つ以上のガラス層セグメントを含み、かつ第１の主面と前記第１の主面の反対側にある第２の主面とによって画定される厚さを有し、前記厚さが、５００マイクロメートル未満、又は２５マイクロメートル〜２５０マイクロメートルの範囲内、又は２５マイクロメートル〜１５０マイクロメートルの範囲内である透明ガラス層と、
前記第１の主面上に配置されたポリマー層であって、前記ポリマー層が、ポリマー材料で形成され、前記ポリマー材料がまた、隣接するセグメントを分離する隙間ポリマー材料を形成する、ポリマー層と、
前記ポリマー層上に配置された透明なエネルギー散逸層であって、前記ポリマー層が、前記透明なエネルギー散逸層を前記透明ガラス層から分離し、前記前記透明なエネルギー散逸層が、２７℃以下のガラス転移温度及び０．５以上のＴａｎδピーク値を有する、透明なエネルギー散逸層と、
を備えるディスプレイフィルム。
【請求項４】
前記透明なエネルギー散逸層が、架橋ポリウレタン、又は架橋ポリウレタンアクリレート、又は架橋ポリウレタン及びポリアクリレートを含む、請求項１〜３のいずれか一項に記載のディスプレイフィルム。
【請求項５】
前記ポリマー層及び隙間ポリマー材料が、第１の屈折率値を有し、前記ガラスセグメントが、第２の屈折率値を有し、前記屈折率値が、前記第２の屈折率値の０．１以内、又は０．０５以内、又は０．０２以内、又は０．０１以内である、請求項３又は４に記載のディスプレイフィルム。
【請求項６】
前記ガラス層セグメントが、前記ガラス層セグメントを破損することなく前記ガラス層の曲げ又は折り畳みをもたらすように構成されている、請求項１〜５のいずれか一項に記載のディスプレイフィルム。
【請求項７】
前記ディスプレイフィルムが、５％未満、又は３％未満、又は１％未満、又は１％未満のヘイズ値を有し、前記ディスプレイフィルムが、８５％超、又は９０％超の可視光透過率値を有し、前記ディスプレイフィルムが、９０％超、又は９５％超、又は９８％超の透明度値を有する、請求項１〜６のいずれか一項に記載のディスプレイフィルム。
【請求項８】
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、請求項１〜７のいずれか一項に記載のディスプレイフィルム。
【請求項９】
前記透明なエネルギー散逸層が、０．８以上、又は１．０以上、又は１．２以上、又は０．５〜２．５の範囲内、又は１〜２．５の範囲内のＴａｎδピーク値を有する、請求項１〜８のいずれか一項に記載のディスプレイフィルム。
【請求項１０】
前記透明なエネルギー散逸層上に配置された透明なポリマー基材層を更に備え、前記透明なエネルギー散逸層が、前記ポリマー層を前記透明なポリマー基材層から分離し、前記透明なポリマー基材層が、１０〜１２５マイクロメートル、又は２５〜１００マイクロメートル、又は３０〜８５マイクロメートルの範囲内の厚さと、９０ＭＰａ超、又は１００ＭＰａ超、又は１２０ＭＰａ超、又は１６０ＭＰａ超の降伏応力値と、を有する、請求項１〜９のいずれか一項に記載のディスプレイフィルム。
【請求項１１】
前記ディスプレイフィルムが、５００マイクロメートル未満、若しくは３００マイクロメートル未満、若しくは２００マイクロメートル未満、又は、８５〜３５０マイクロメートル、若しくは１００〜２５０マイクロメートル、若しくは１００〜２００マイクロメートルの範囲内の厚さを有する、請求項１〜１０のいずれか一項に記載のディスプレイフィルム。
【請求項１２】
光学ディスプレイと、
請求項１〜１１のいずれか一項に記載のディスプレイフィルムと、
前記ディスプレイフィルムを前記光学ディスプレイに固定する光学接着剤層と、
を備える、物品。
【請求項１３】
前記光学ディスプレイが、有機発光ダイオードを含む、請求項１２に記載の物品。
【請求項１４】
前記光学ディスプレイ及びディスプレイフィルムは、前記光学ディスプレイが前記光学ディスプレイ自体に向き合い、前記ディスプレイフィルムの少なくとも一部分が、前記ディスプレイフィルムの別の部分と重なり合うように、折り畳み可能である、請求項１２又は１３に記載の物品。